(57)【要約】【課題】  浴室内の空間を狭めることなく、良好に備品等を収納できる浴室収納構造を提供する。【解決手段】  浴室１の洗い場床面２に凹部３を設け、この凹部３の上面を覆蓋し得る開閉可能なカバー４には、カバー４を閉じた時に凹部３内に隠蔽されるとともに、カバー４を開けた時に凹部３から引き出し可能な収納部５を備えて構成する。【選択図】        図２
2005097990.tif 000002
【特許請求の範囲】
【請求項１】
浴室の洗い場床面に凹部を設け、該凹部の上面を覆蓋し得る開閉可能なカバーには、該カバーを閉じた時に前記凹部内に隠蔽されるとともに、カバーを開けた時に前記凹部から引き出し可能な収納部を備えたことを特徴とする浴室収納構造。
【請求項２】
前記凹部の側面もしくは底面に作業口を設けたことを特徴とする請求項１に記載の浴室収納構造。
【請求項３】
前記収納部には、前記凹部内への急激な落下を防ぐための落下防止機能部材が設けられていることを特徴とする請求項１に記載の浴室収納構造。
【請求項４】
前記凹部には、内部に流れ込んだ水を排水し得る排水機能部材が設けられていることを特徴とする請求項１または請求項３に記載の浴室収納構造。
【請求項５】
前記凹部の上面周囲の洗い場床面に、排水溝を設けたことを特徴とする請求項１または請求項３に記載の浴室収納構造。
【発明の詳細な説明】
【技術分野】
【０００１】
本発明は、浴室の洗い場床面に収納部を設けた浴室収納構造に関するものである。
【背景技術】
【０００２】
従来、特許文献１に開示されているように、浴室内に設けられたカウンターに収納用凹部を設け、その中に収納できる構成のものが存在する。
また、従来、特許文献２に開示されているように、洗面室の床に、床下点検口を兼ねた収納部分を設けた構成のものが存在する。
【特許文献１】特開平６−７０８６２号公報
【特許文献２】特開２００１−１４９２７０号公報
【発明の開示】
【発明が解決しようとする課題】
【０００３】
上記従来の浴室のカウンターに収納凹部を設けた構造では、浴室空間内部に設けられたカウンターに凹部を形成させるものであるため、狭い浴室においては、洗い場空間を狭くしてしまうという問題点があった。
また、上記洗面室の床面に収納部分を設けた構造では、洗面室は常に水が流れるものではなく、浴室内にこのような構造を採用することは困難なものであった。
【課題を解決するための手段】
【０００４】
本発明は上記従来の問題点に鑑み案出したものであって、浴室内空間を狭くすることなく、良好に収納を確保できる浴室収納構造を提供せんとするものであり、請求項１は、浴室の洗い場床面に凹部を設け、該凹部の上面を覆蓋し得る開閉可能なカバーには、該カバーを閉じた時に前記凹部内に隠蔽されるとともに、カバーを開けた時に前記凹部から引き出し可能な収納部を備えたことである。
また、請求項２は、前記凹部の側面もしくは底面に作業口を設けたことである。
また、請求項３は、前記収納部には、前記凹部内への急激な落下を防ぐための落下防止機能部材が設けられていることである。
また、請求項４は、前記凹部には、内部に流れ込んだ水を排水し得る排水機能部材が設けられていることである。
また、請求項５は、前記凹部の上面周囲の洗い場床面に、排水溝を設けたことである。
【発明の効果】
【０００５】
本発明は、浴室の洗い場床面に凹部を設け、凹部の上面を覆蓋し得る開閉可能なカバーに収納部を備えたことにより、浴室空間内に収納部が突出することがなく、浴室空間を狭くすることもなく、良好に洗い場の底面に収納空間を確保することができるものとなる。
【０００６】
また、凹部の側面もしくは底面に作業口を設けたことにより、浴室の洗い場床面の下方に配設される排水配管等の点検及びメンテナンス等を良好に作業口から行うことができ、通常は、この作業口を良好に隠蔽させて、スッキリとした状態の浴室とすることができる。
【０００７】
また、収納部には、凹部内への急激な落下を防ぐための落下防止機能部材が設けられていることにより、収納部を収納させる際に急激な落下が防がれて、手などを挟むことがなく、安全なものとなる。
【０００８】
また、凹部には、内部に流れ込んだ水を排水し得る排水機能部材が設けられていることにより、凹部内に入った水を良好に排水することができ、凹部内を清潔に保つことができるものとなる。
【０００９】
また、凹部の上面周囲の洗い場床面に、排水溝を設けたことにより、凹部内に水が流れ込むことがなく、良好に凹部の外周の排水溝に排水させて、凹部内を清潔に維持できるものとなる。
【実施例】
【００１０】
以下、本発明の実施例を図面に基づいて説明する。
図１は、浴室の洗い場の要部斜視構成図である。
浴室１の洗い場床面２には、下方側へ凹み状に凹部３が設けられており、この凹部３の上面には開閉可能にカバー４が設けられている。
このカバー４には、図２及び図３の拡大図で示すように、カバー４の下方に一体状に収納部５が設けられており、この収納部５は、４本の縦枠６，６，６，６の底面に底板７が設けられて、底板７上に、浴室内で使用する備品等を収納できる構造となっている。
【００１１】
カバー４を凹部３の上面に覆蓋して閉じた状態では、凹部３内に収納部５は隠蔽されるものであり、また、凹部３から、カバー４及び収納部５を上方へ引き出して、収納部５内に収納されている備品等を良好に取り出すことができるように構成されている。
なお、収納部５は、側面側が開放された形状のものであっても、また、側面に壁が設けられた箱状のものであっても良く、箱状の場合は、カバー４を開閉させて収納部５内の備品を取り出すことができる構成にしておくことができる。
【００１２】
なお、図３に示すように、凹部３の四隅には、縦方向にそれぞれコーナーレール８，８，８，８を立設させておき、この４本のコーナーレール８，８，８，８にガイドされて良好に収納部５が上下方向に移動できるように構成しておくことができる。
また、収納部５の凹部３内への急激な落下を防ぐために、例えば、縦枠６，６，６，６の外周に落下防止ゴム９，９，９，９を巻着させておき、この落下防止ゴム９がコーナーレール８の内周に摺接して、ゆっくりと収納部５が凹部３内に下降できるように構成しておくことができ、その他、急激な落下を防ぐために、ダンパー等を設けておくこともでき、手を挟む等の事故を良好に防ぐことができるものとなる。
【００１３】
このように洗い場床面２に凹み状に凹部３を形成して、この凹部３内に収納される収納位置から、凹部３上に引き出される位置に亘り、上下動可能にカバー４と共に収納部５を設けておけば、良好に収納部５内に備品等を収納させて、凹部３内に隠蔽状に収納させておくことができ、浴室内がスッキリとした状態となり、また、浴室１内には突出部が発生しないために、浴室１内の空間を有効に利用して、広い状態で使用することができるものとなる。
【００１４】
なお、図４に示すように、凹部３内の側面に、側面作業口３ａを形成させておいたり、また、凹部３の底面に、底面作業口３ｂを形成させておけば、この側面作業口３ａ及び底面作業口３ｂは通常は隠蔽された状態となり、必要に応じてカバー４及び収納部５を引き出して、この凹部３に形成されている作業口３ａまたは３ｂから、洗い場床面２の下方に配管されている排水配管等を良好に点検したり、補修することができるものとなる。
【００１５】
また、さらに図５に示すように、凹部３の底面３ｃに、上下に貫通する複数の通し孔３ｄ，３ｄ，３ｄを形成させておき、この凹部３の底面３ｃの下側に排水受け皿１０を設けた構成にして、凹部３内に流れ込んだ水を、通し孔３ｄ，３ｄ，３ｄから下方の排水受け皿１０内に排水することができるように構成しておくことができる。
なお、排水受け皿１０には排水管１１を接続して、排水管１１を通し良好に排水することができ、このような構成では、凹部３内に水が入っても、良好に水を排水することができ、凹部３内を清潔に保つことができるものとなる。
【００１６】
さらに、図６の変更例で示すように、凹部３の上面外周の洗い場床面２に排水溝を設けておき、この排水溝上に４枚のグレーチング等で構成された排水溝蓋１２ａ，１２ｂ，１２ｃ，１２ｄを設けて、この排水溝蓋１２ａ，１２ｂ，１２ｃ，１２ｄが洗い場床面２と面一状を成すように設置しておけば、スッキリとした状態の面一状の洗い場床面２となり、しかも排水は、排水溝蓋１２ａ，１２ｂ，１２ｃ，１２ｄを通して下方の排水溝に排水することができ、凹部３内への水の流入を良好に防ぐことができ、凹部３内を清潔に維持できるものとなる。
【図面の簡単な説明】
【００１７】
【図１】浴室の洗い場の要部斜視構成図である。
【図２】洗い場に設けられた凹部から収納部を引き出した状態の斜視構成図である。
【図３】図２のカバー及び収納部の引き出し状態の拡大斜視構成図である。
【図４】凹部に作業口を設けた場合の凹部の斜視構成図である。
【図５】凹部の底側に排水機能部材を設けた場合の凹部の斜視構成図である。
【図６】凹部の上面外周に蓋付きの排水溝を設けた場合の斜視構成図である。
【符号の説明】
【００１８】
１  浴室
２  洗い場床面
３  凹部
３ａ  側面作業口
３ｂ  底面作業口
３ｃ  底面
３ｄ  通し孔
４  カバー
５  収納部
６  縦枠
７  底板
８  コーナーレール
９  落下防止ゴム（落下防止機能部材）
１０  排水受け皿（排水機能部材）
１１  排水管
１２ａ，１２ｂ，１２ｃ，１２ｄ  排水溝蓋
【図１】
2005097990.tif 000003
【図２】
2005097990.tif 000004
【図３】
2005097990.tif 000005
【図４】
2005097990.tif 000006
【図５】
2005097990.tif 000007
【図６】
2005097990.tif 000008